Podtech/llm-jp-corpus-v4-ja_patent huggingface dataset:
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
窒化物系半導体からなる第１導電型の第１半導体層と、窒化物系半導体からなる第２導電型の第２半導体層と、前記第１半導体層と前記第２半導体層との間に設けられた発光層と、を有する積層構造体と、
前記第２半導体層の前記発光層とは反対側に設けられ、銀または銀合金を含む第１金属層と、前記第１金属層の前記第２半導体層とは反対側に設けられ、白金、パラジウム、ロジウムの少なくともいずれかの元素を含む第２金属層と、を有する電極と、
前記第１半導体層の前記発光層とは反対の側に設けられた対向電極と、
を備え、
前記第２半導体層は、前記第２半導体層と前記第１金属層との界面に接して設けられ、銀を含む界面層を含み、
前記第２半導体層は、前記第２半導体層の前記電極の側の表面の前記対向電極に対向する領域に設けられた低電気特性部を有し、
前記低電気特性部は、前記表面の前記対向電極と対向しない領域よりも、前記第２半導体層と前記電極との間におけるコンタクト抵抗が高い、及び、オーミック特性が低い、の少なくともいずれかであることを特徴とする半導体発光素子。
【請求項２】
前記第１金属層と前記第２半導体層との界面を含む領域における前記元素の濃度は、前記第１金属層のうちの前記界面から離れた領域における前記元素の濃度よりも高いことを特徴とする請求項１記載の半導体発光素子。
【請求項３】
前記第１金属層における銀の平均粒径は、０．３マイクロメートル以下であることを特徴とする請求項１または２に記載の半導体発光素子。
【請求項４】
前記第１金属層は、前記元素を実質的に含まないことを特徴とする請求項１〜３のいずれか１つに記載の半導体発光素子。
【請求項５】
前記第１金属層は、銀を含む単層膜であることを特徴とする請求項１〜４のいずれか１つに記載の半導体発光素子。
【請求項６】
前記第２金属層は、白金、パラジウム、及び、白金とパラジウムとを含む合金の少なくともいずれかを含むことを特徴とする請求項１〜５のいずれか１つに記載の半導体発光素子。
【請求項７】
前記発光層の発光光のピーク波長は、３７０ナノメートル以上、４００ナノメートル以下であることを特徴とする請求項１〜６のいずれか１つに記載の半導体発光素子。
【請求項８】
前記第１半導体層、前記発光層及び前記第２半導体層は、サファイアからなる基板の上に、単結晶ＡｌｘＧａ１−ｘＮ（０．８≦ｘ≦１）を含むバッファ層を介して形成され、前記バッファ層は、前記バッファ層の前記基板に側に設けられ、炭素濃度が３×１０１８ｃｍ−３以上、５×１０２０ｃｍ−３以下で、厚さが３ナノメートル以上、２０ナノメートル以下の高炭素濃度部を有することを特徴とする請求項１〜７のいずれか１つに記載の半導体発光素子。
【手続補正２】
【補正対象書類名】明細書
【補正対象項目名】０００７
【補正方法】変更
【補正の内容】
【０００７】
本発明の一態様によれば、窒化物系半導体からなる第１導電型の第１半導体層と、窒化物系半導体からなる第２導電型の第２半導体層と、前記第１半導体層と前記第２半導体層との間に設けられた発光層と、を有する積層構造体と、前記第２半導体層の前記発光層とは反対側に設けられ、銀または銀合金を含む第１金属層と、前記第１金属層の前記第２半導体層とは反対側に設けられ、白金、パラジウム、ロジウムの少なくともいずれかの元素を含む第２金属層と、を有する電極と、前記第１半導体層の前記発光層とは反対の側に設けられた対向電極と、を備え、前記第２半導体層は、前記第２半導体層と前記第１金属層との界面に接して設けられ、銀を含む界面層を含み、前記第２半導体層は、前記第２半導体層の前記電極の側の表面の前記対向電極に対向する領域に設けられた低電気特性部を有し、前記低電気特性部は、前記表面の前記対向電極と対向しない領域よりも、前記第２半導体層と前記電極との間におけるコンタクト抵抗が高い、及び、オーミック特性が低い、の少なくともいずれかであることを特徴とする半導体発光素子が提供される。
【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
非接触充電器によって電力供給を受けることが可能なコイルと、前記コイルにおいて供給をうけた電力によって充電可能な二次電池とを備えた電子機器であって、
前記二次電池の充電が完了した場合、前記非接触充電器を前記電子機器への充電を行なわない充電停止状態に移行させる旨を示す満充電コマンドを、前記コイルを介して送出し、
その後、前記コイルに電力が供給され、前記電子機器の非接触充電の作用を担う非接触充電回路が起動する状態になる電子機器。
【請求項２】
非接触充電器によって電力供給を受けることが可能なコイルと、前記コイルにおいて供給をうけた電力によって充電可能な二次電池とを備え、電子機器に装着可能である、電池パックであって、
前記二次電池の充電が完了した場合、前記非接触充電器を当該電子機器への充電を行なわない充電停止状態に移行させる旨を示す満充電コマンドを、前記コイルを介して送出し、
その後、前記コイルに電力が供給され、前記電子機器の非接触充電の作用を担う非接触充電回路が起動する状態になる、電池パック。
【手続補正２】
【補正対象書類名】明細書
【補正対象項目名】０００８
【補正方法】変更
【補正の内容】
【０００８】
本発明の電子機器は、非接触充電器によって電力供給を受けることが可能なコイルと、前記コイルにおいて供給をうけた電力によって充電可能な二次電池とを備えた電子機器であって、
前記二次電池の充電が完了した場合、前記非接触充電器を前記電子機器への充電を行なわない充電停止状態に移行させる旨を示す満充電コマンドを、前記コイルを介して送出し、
その後、前記コイルに電力が供給され、前記電子機器の非接触充電の作用を担う非接触充電回路が起動する状態になる。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
周囲にスロットを備えたディスクを備えるファンロータであって、個別のブレードが前記ロータに取り付けられ、各ブレード（２０）が対応するスロット（１３）に係合されるブレード根元部（２１）を含み、各スロットが、ブレード根元部とスロットの底部との間に介在される細長いスペーサ（１１）を収容し、ロータが、前記スペーサが弾性的に変形可能な材料から構成されることと、前記スペーサの少なくとも１つの長手方向のセグメント（１７ａから１７ｃ）が、ブレード根元部の対応する横領域と接触し且つスロットの底部から離隔される２つの横領域と、スロットの底部の対応する中央領域に面する中央領域とを画定するように、弓形の横断輪郭を有することと、を特徴とする、ファンロータ。
【請求項２】
前記セグメントの前記中央領域（２９）が、ブレード根元部の対応する中央領域から離隔されることを特徴とする、請求項１に記載のロータ。
【請求項３】
前記スペーサが、より狭い接合部（１８）によって相互接続される複数のセグメント（１７ａから１７ｃ）によって構成されることを特徴とする、請求項１または２に記載のロータ。
【請求項４】
各接合部（１８）が、統合する２つのセグメントの中央領域まで実質的に延在して中央領域と連続するように位置決めされることを特徴とする、請求項３に記載のロータ。
【請求項５】
前記接合部（１８）が、前記セグメントの中央領域の横断輪郭と実質的に同一である横断輪郭を有することを特徴とする、請求項４に記載のロータ。
【請求項６】
前記スペーサ（１１）が、その長手方向において波状の輪郭（図２）を呈することを特徴とする、請求項１から５のいずれか一項に記載のロータ。
【請求項７】
前記スペーサが、スロットの底部と接触している中央領域（１１ａ）と、ブレード根元部と接触している２つの端部領域（１１ｂ）と、をその長手方向に有することを特徴とする、請求項６に記載のロータ。
【請求項８】
前記スペーサ（１１）が、ブレード根元部（２１）とスロットの底部（１３ａ）との間で応力を受けて取り付けられることを特徴とする、請求項６または７に記載のロータ。
【請求項９】
前記スペーサが、３次元織り複合材料から構成されることを特徴とする、請求項１から８のいずれか一項に記載のロータ。
【請求項１０】
ブレード（２０）が、３次元織り複合材料から構成されることを特徴とする、請求項１から９のいずれか一項に記載のロータ。
【請求項１１】
ファンロータにおけるスロットに挿入するためのスペーサであって、弾性的に変形可能な材料から構成されることと、弓形形状の横断輪郭を有する少なくとも１つの長手方向のセグメント（１７ａから１７ｃ）を含むことと、を特徴とする、スペーサ。
【請求項１２】
狭い接合部（１８）によって統合される複数の前記セグメント（１７ａから１７ｃ）から構成されることを特徴とする、請求項１１に記載のスペーサ。
【請求項１３】
長手方向において波状の輪郭を有する（図２）ことを特徴とする、請求項１１または１２に記載のスペーサ。
【請求項１４】
３次元織り複合材料から構成されることを特徴とする、請求項１１から１３のいずれか一項に記載のスペーサ。
【請求項１５】
請求項１から１０のいずれか一項に記載のロータを含むことを特徴とする、ターボ機械。
【手続補正２】
【補正対象書類名】明細書
【補正対象項目名】０００５
【補正方法】変更
【補正の内容】
【０００５】
このために、本発明は最初に、その周囲にスロットを有するディスクを備えるファンロータを提供し、個別のブレードが上記ロータに取り付けられ、各ブレードは、対応するスロットに係合されるブレード根元部を含み、各スロットは、ブレード根元部とスロットの底部との間に介在される細長いスペーサを収容し、ロータは、上記スペーサが弾性的に変形可能な材料から構成されることと、上記スペーサの少なくとも１つの長手方向のセグメントが、ブレード根元部の対応する横領域と接触し且つスロットの底部から離隔される２つの横領域と、スロットの底部の対応する中央領域に面する中央領域とを画定するように、弓形の横断輪郭を有することを特徴とする。
【手続補正書】
【提出日】平成24年2月2日(2012.2.2)
【手続補正１】
【補正対象書類名】明細書
【補正対象項目名】０００６
【補正方法】変更
【補正の内容】
【０００６】
請求項１に係る遊技機は、
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記ベース本体の外周と前記ベース枠体との間に配置され、前記ベース本体の伸縮を許容し、かつ、接着に依らない伸縮許容手段と、
前記遊技領域の外周を区画形成する前構成部材と、
を具備する遊技盤を備え、
前記伸縮許容手段は、
前記ベース本体が前記ベース枠体の前記貫通口内に挿入された状態において、前記ベース本体の外周面と前記貫通口の内周面との間に、前記ベース本体の伸縮を許容するために形成されたクリアランスとされ、
さらに、前記遊技盤は、
前記ベース本体が、
前記ベース枠体又は前記前構成部材によって、移動不能に固定される不動固定部と、板状の面が伸びる方向に移動可能に固定される可動固定部とを備え、
前記ベース枠体と前記前構成部材とで前後方向において支持されている、
ことを特徴とする。
請求項２に係る遊技機は、請求項１に係る遊技機において、前記ベース枠体の前面と、前記ベース本体の前面とが、略面一とされていることを特徴とするものである。
【手続補正２】
【補正対象書類名】特許請求の範囲
【補正対象項目名】全文
【補正方法】変更
【補正の内容】
【特許請求の範囲】
【請求項１】
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記ベース本体の外周と前記ベース枠体との間に配置され、前記ベース本体の伸縮を許容し、かつ、接着に依らない伸縮許容手段と、
前記遊技領域の外周を区画形成する前構成部材と、
を具備する遊技盤を備え、
前記伸縮許容手段は、
前記ベース本体が前記ベース枠体の前記貫通口内に挿入された状態において、前記ベース本体の外周面と前記貫通口の内周面との間に、前記ベース本体の伸縮を許容するために形成されたクリアランスとされ、
さらに、前記遊技盤は、
前記ベース本体が、
前記ベース枠体又は前記前構成部材によって、移動不能に固定される不動固定部と、板状の面が伸びる方向に移動可能に固定される可動固定部とを備え、
前記ベース枠体と前記前構成部材とで前後方向において支持されている、
ことを特徴とする遊技機。
【請求項２】
前記ベース枠体の前面と、前記ベース本体の前面とが、略面一とされている、
ことを特徴とする請求項１に記載の遊技機。
【手続補正書】
【提出日】平成24年2月2日(2012.2.2)
【手続補正１】
【補正対象書類名】明細書
【補正対象項目名】０００６
【補正方法】変更
【補正の内容】
【０００６】
請求項１に係る遊技機は、
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記ベース本体の外周と前記ベース枠体との間に配置され、前記ベース本体の伸縮を許容し、かつ、接着に依らない伸縮許容手段と、
前記遊技領域の外周を区画形成する前構成部材と、
を具備する遊技盤を備え、
前記ベース本体が、
前記ベース枠体又は前記前構成部材によって、移動不能に固定される不動固定部と、板状の面が伸びる方向に移動可能に固定される可動固定部とを備え、
前記ベース枠体と前記前構成部材とで前後方向において支持されてなり、
さらに、前記遊技盤は、
前記ベース枠体の後面側に固定され、前記ベース本体の後面との間で空間を形成する枠状の空間形成部材と、
前記空間形成部材に支持され、該空間形成部材の後側開口を閉鎖し、所定の演出画像を表示可能な演出表示装置と、
前記演出表示装置の後側に取付けられている少なくとも該演出表示装置を制御する表示装置制御基板ボックスとを備え、
前記ベース本体は、押出し成形された透明樹脂板の押出し方向が、上下方向に対して交わる方向となるように形成されている、
ことを特徴とする。
請求項２に係る遊技機は、請求項１に係る遊技機において、
前記上下方向に対して交わる方向は、上下方向に対して略４５°の方向である、
ことを特徴とするものである。
【手続補正２】
【補正対象書類名】明細書
【補正対象項目名】００７６
【補正方法】変更
【補正の内容】
【００７６】
請求項１に係る遊技機によれば、ベース本体がベース枠体と前構成部材とで前後方向において支持されるだけでなく、不動固定部や可動固定部によっても固定することができるので、ベース本体をより確実に固定することができ、ベース本体が脱落したりガタついたりするのを防止することができ、ベース本体が温度変化や経時変化等によって伸縮しても、可動固定部において固定位置が可動（スライド）して伸縮が許容されるので、ベース本体が伸縮しても、不動固定部や可動固定部に伸縮による応力が作用するのを防止して、応力がかかることでベース本体が歪むのを防止することができる。
・空間形成部材を介して遊技盤のベース枠体に演出表示装置を支持させることができ、演出表示装置を遊技盤に一体として、取り付け等にかかる手間を簡略化することができる。・空間形成部材が枠状とされたものであるから、空間形成部材の後側開口を演出表示装置により閉鎖することができ、空間形成部材により形成される流通空間内に埃やゴミ等が進入するのを防止することができ、流通空間内で埃やゴミ等による不具合が発生するのを防止することができる。
・ベース本体の後方に備えられた演出表示装置を用いて遊技者をより楽しませることができ、遊技者の興趣が低下するのを抑制することができる。
・ベース本体を構成する透明樹脂板の押出し方向が上下方向に対して交わる方向、つまり、押出し方向が上下方向以外の方向となるように形成されているので、ベース本体の後方に演出表示装置を配置した場合、透明樹脂板と演出表示装置のドットマトリックスとが干渉して、モアレが発生するのを可及的に抑制することができ、モアレにより演出表示装置が見辛くなるのを防止することができる。
・演出表示装置による演出画像を良好に視認させることができ、演出画像を楽しませることができると共に、ベース本体の後方に演出表示装置を配置することで遊技領域を可及的に広くすることができ、遊技者の興趣が低下するのを防止することができる。
請求項２に係る遊技機によれば、透明樹脂板の押出し方向を配置する方向として、上下方向に対して略４５度の方向となるようにすることにより、演出表示装置のドットマトリックスに、水平方向の成分を多く含んだものにも対応させることができ、モアレの発生を効果的に抑制することができる。
【手続補正３】
【補正対象書類名】特許請求の範囲
【補正対象項目名】全文
【補正方法】変更
【補正の内容】
【特許請求の範囲】
【請求項１】
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記ベース本体の外周と前記ベース枠体との間に配置され、前記ベース本体の伸縮を許容し、かつ、接着に依らない伸縮許容手段と、
前記遊技領域の外周を区画形成する前構成部材と、
を具備する遊技盤を備え、
前記ベース本体が、
前記ベース枠体又は前記前構成部材によって、移動不能に固定される不動固定部と、板状の面が伸びる方向に移動可能に固定される可動固定部とを備え、
前記ベース枠体と前記前構成部材とで前後方向において支持されてなり、
さらに、前記遊技盤は、
前記ベース枠体の後面側に固定され、前記ベース本体の後面との間で空間を形成する枠状の空間形成部材と、
前記空間形成部材に支持され、該空間形成部材の後側開口を閉鎖し、所定の演出画像を表示可能な演出表示装置と、
前記演出表示装置の後側に取付けられている少なくとも該演出表示装置を制御する表示装置制御基板ボックスとを備え、
前記ベース本体は、押出し成形された透明樹脂板の押出し方向が、上下方向に対して交わる方向となるように形成されている、
ことを特徴とする遊技機。
【請求項２】
前記上下方向に対して交わる方向は、上下方向に対して略４５°の方向である、
ことを特徴とする請求項１に記載の遊技機。
【手続補正書】
【提出日】平成24年2月2日(2012.2.2)
【手続補正１】
【補正対象書類名】明細書
【補正対象項目名】０００６
【補正方法】変更
【補正の内容】
【０００６】
請求項１に係る遊技機は、
遊技盤と、前記遊技盤を装着する装着枠とを備えたものであって、
前記遊技盤は、
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記遊技領域の外周を区画形成する前構成部材と、を有し、
前記前構成部材と前記ベース枠体との間で前記ベース本体が支持されてなり、
前記ベース枠体を介して前記ベース本体が前記装着枠に装着されるものであり、
さらに、
前記ベース本体の外周面と前記ベース枠体の前記貫通口の内周面との間に配置され、前記ベース本体の伸縮を許容し、かつ、接着に依らない伸縮許容手段を備え、
前記伸縮許容手段は、前記ベース本体と前記ベース枠体との間に隙間が形成されるのを防止する隙間閉鎖手段を備えるものであって、前記隙間閉鎖手段は、前記ベース本体と前記ベース枠体との間に、膨張可能となるように配置された弾性部材からなる、
ことを特徴とする。
請求項２に係る遊技機は、請求項１に係る遊技機において、前記ベース枠体の前面と、前記ベース本体の前面と、前記伸縮許容手段における前記隙間閉鎖手段の前面とが略面一とされている、
ことを特徴とするものである。
【手続補正２】
【補正対象書類名】特許請求の範囲
【補正対象項目名】全文
【補正方法】変更
【補正の内容】
【特許請求の範囲】
【請求項１】
遊技盤と、前記遊技盤を装着する装着枠とを備えた遊技機であって、
前記遊技盤は、
透明樹脂からなり、遊技者の操作によって遊技媒体が打ち込まれる遊技領域が形成される板状のベース本体と、
前記遊技領域に対応して前後方向に貫通する貫通口を有し、前記ベース本体の外周を囲むベース枠体と、
前記遊技領域の外周を区画形成する前構成部材と、を有し、
前記前構成部材と前記ベース枠体との間で前記ベース本体が支持されてなり、
前記ベース枠体を介して前記ベース本体が前記装着枠に装着されるものであり、
さらに、
前記ベース本体の外周面と前記ベース枠体の前記貫通口の内周面との間に配置され、前記ベース本体の伸縮を許容し、かつ、接着に依らない伸縮許容手段を備え、
前記伸縮許容手段は、前記ベース本体と前記ベース枠体との間に隙間が形成されるのを防止する隙間閉鎖手段を備えるものであって、前記隙間閉鎖手段は、前記ベース本体と前記ベース枠体との間に、膨張可能となるように配置された弾性部材からなる、
ことを特徴とする遊技機。
【請求項２】
前記ベース枠体の前面と、前記ベース本体の前面と、前記伸縮許容手段における前記隙間閉鎖手段の前面とが略面一とされている、
ことを特徴とする請求項１に記載の遊技機。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、遊技者にとって有利な特定遊技状態に移行させる遊技機であって、
前記特定遊技状態において開放状態に変化可能な可変入賞球装置と、
前記可変入賞球装置に入賞した遊技球を検出して検出信号を出力する検出手段と、
遊技の進行を制御する遊技制御手段と、
前記遊技制御手段が送信するコマンドにもとづいて、演出装置の制御を行う演出制御手段とを備え、
前記遊技制御手段は、
遊技進行状態を示すデータにもとづいて前記可変入賞球装置の状態を制御する状態制御手段と、
前記検出手段からの前記検出信号を入力したか否かを判定する入賞判定手段と、
前記遊技進行状態を示すデータが所定範囲の数値を示しているときに前記入賞判定手段が前記検出信号を入力したことにもとづいて、異常報知の実行を指示するための異常報知コマンドを送信する異常報知コマンド送信手段とを含み、
前記演出制御手段は、
前記異常報知コマンド送信手段が送信した異常報知コマンドにもとづいて、前記演出装置により異常報知を行う異常報知手段を含み、
前記状態制御手段は、遊技進行状態を示すデータが前記所定範囲の数値以外の数値を示しているときに、前記可変入賞球装置を開放状態に制御する
ことを特徴とする遊技機。
【手続補正２】
【補正対象書類名】明細書
【補正対象項目名】００１１
【補正方法】変更
【補正の内容】
【００１１】
本発明による遊技機は、遊技球を用いて所定の遊技を行うことが可能であり、遊技者にとって有利な特定遊技状態（例えば、大当り遊技状態）に移行させる遊技機であって、特定遊技状態において開放状態に変化可能な可変入賞球装置（例えば、大入賞口）と、可変入賞球装置に入賞した遊技球を検出して検出信号を出力する検出手段（例えば、カウントスイッチ２３）と、遊技の進行を制御する遊技制御手段（例えば、遊技制御用マイクロコンピュータ５６０）と、遊技制御手段が送信するコマンド（例えば、演出制御コマンド）にもとづいて、演出装置の制御を行う演出制御手段（例えば、演出制御用マイクロコンピュータ１００）とを備え、遊技制御手段は、遊技進行状態を示すデータ（例えば、特別図柄プロセスフラグ）にもとづいて可変入賞球装置の状態を制御する状態制御手段（例えば、遊技制御用マイクロコンピュータ５６０において、ステップＳ３００〜Ｓ３１０の処理を実行する部分）と、検出手段からの検出信号を入力したか否かを判定する入賞判定手段（例えば、遊技制御用マイクロコンピュータ５６０において、ステップＳ３３１〜Ｓ３３８、Ｓ３５１〜Ｓ３５６，Ｓ３６１の処理を実行する部分。特に、カウントスイッチ入力ビット判定値を用いてステップＳ３５５，Ｓ３６１の処理を実行する部分）と、遊技進行状態を示すデータが所定範囲の数値（例えば、５未満）を示しているときに入賞判定手段が検出信号を入力したことにもとづいて、異常報知の実行を指示するための異常報知コマンドを送信する異常報知コマンド送信手段（例えば、遊技制御用マイクロコンピュータ５６０において、ステップＳ５８５，Ｓ５８７〜Ｓ５８９の処理を実行する部分）とを含み、演出制御手段は、異常報知コマンド送信手段が送信した異常報知コマンドにもとづいて、演出装置により異常報知を行う異常報知手段（例えば、演出制御用マイクロコンピュータ１００において、ステップＳ９０６〜Ｓ９０９の処理を実行する部分）を含み、状態制御手段は、遊技進行状態を示すデータが所定範囲の数値以外の数値（例えば、５以上）を示しているときに、可変入賞球装置を開放状態に制御する（例えば、遊技制御用マイクロコンピュータ５６０において、ステップＳ３０５〜Ｓ３１０の処理を実行。特に、ステップＳ３０５，Ｓ３０８で大入賞口を開放状態する制御を実行する）ことを特徴とする。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記特定遊技状態において開放状態に変化可能な可変入賞球装置と、
前記可変入賞球装置に入賞した遊技球を検出して検出信号を出力する検出手段と、
遊技の進行を制御する遊技制御手段と、
前記遊技制御手段が送信するコマンドにもとづいて、前記可変表示装置を含む演出装置の制御を行う演出制御手段とを備え、
前記特定遊技状態には、遊技者にとって有利な開放パターンで前記可変入賞球装置を前記開放状態に制御する第１特定遊技状態と、前記有利な開放パターンに比べて遊技者にとって不利な開放パターンで前記可変入賞球装置を前記開放状態に制御する第２特定遊技状態とが含まれ、
前記遊技制御手段は、
前記特定遊技状態に移行させるか否かと、前記特定遊技状態に移行させる場合に前記第１特定遊技状態とするか前記第２特定遊技状態とするのかを表示結果の導出表示以前に決定する事前決定手段と、
前記事前決定手段の決定にもとづいて、前記可変表示装置における識別情報の可変表示の開始と可変表示時間とを特定可能な可変表示コマンドを送信する可変表示コマンド送信手段と、
前記事前決定手段の決定結果にもとづいて前記第１特定遊技状態においても前記第２特定遊技状態においても共通の処理ルーチンにより前記可変入賞球装置を制御する状態制御手段と、
前記検出手段からの前記検出信号を入力したか否かを判定する入賞判定手段と、
前記特定遊技状態以外の遊技状態において前記入賞判定手段が前記検出信号を入力したことにもとづいて、異常報知の実行を指示するための異常報知コマンドを送信する異常報知コマンド送信手段とを含み、
前記異常報知コマンド送信手段は、前記第１特定遊技状態であるときにも前記第２特定遊技状態であるときにも異常報知コマンドを送信する処理を実行せず、
前記演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した異常報知コマンドにもとづいて、前記演出装置により異常報知を行う異常報知手段とを含む
ことを特徴とする遊技機。
【手続補正２】
【補正対象書類名】明細書
【補正対象項目名】０００８
【補正方法】変更
【補正の内容】
【０００８】
特許文献１に記載されている遊技機では、大入賞口への入賞許容値以上の入賞が検出されると、異常入賞が発生したと判定される。
【手続補正３】
【補正対象書類名】明細書
【補正対象項目名】０００９
【補正方法】変更
【補正の内容】
【０００９】
しかし、大入賞口が開放しているときの入賞信号を計数する必要があり、異常入賞検出のための処理は簡易ではない。
【手続補正４】
【補正対象書類名】明細書
【補正対象項目名】００１０
【補正方法】変更
【補正の内容】
【００１０】
そこで、本発明は、簡易な処理で異常入賞を検出できる遊技機を提供することを目的とする。
【手続補正５】
【補正対象書類名】明細書
【補正対象項目名】００１１
【補正方法】変更
【補正の内容】
【００１１】
本発明による遊技機は、遊技球を用いて所定の遊技を行うことが可能であり、各々を識別可能な複数種類の識別情報（例えば、特別図柄や飾り図柄）の可変表示を行い表示結果を導出表示する可変表示装置（例えば、特別図柄表示器８や可変表示装置９）を備え、該可変表示装置に特定表示結果（例えば、大当り図柄）が導出表示されたときに遊技者にとって有利な特定遊技状態（例えば、大当り遊技状態）に移行させる遊技機であって、特定遊技状態において開放状態に変化可能な可変入賞球装置（例えば、特別可変入賞球装置２０）と、可変入賞球装置に入賞した遊技球を検出して検出信号を出力する検出手段（例えば、カウントスイッチ２３）と、遊技の進行を制御する遊技制御手段（例えば、遊技制御用マイクロコンピュータ５６０）と、遊技制御手段が送信するコマンド（例えば、演出制御コマンド）にもとづいて、可変表示装置を含む演出装置の制御を行う演出制御手段（例えば、演出制御用マイクロコンピュータ１００）とを備え、特定遊技状態には、遊技者にとって有利な開放パターンで可変入賞球装置を開放状態に制御する第１特定遊技状態と、有利な開放パターンに比べて遊技者にとって不利な開放パターンで可変入賞球装置を開放状態に制御する第２特定遊技状態とが含まれ、遊技制御手段は、特定遊技状態に移行させるか否かと、特定遊技状態に移行させる場合に第１特定遊技状態とするか第２特定遊技状態とするのかを表示結果の導出表示以前に決定する事前決定手段（例えば、遊技制御用マイクロコンピュータ５６０において、ステップＳ６２，Ｓ６３の処理を実行する部分）と、事前決定手段の決定にもとづいて、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０において、ステップＳ１０３の処理を実行する部分）と、事前決定手段の決定結果にもとづいて第１特定遊技状態においても第２特定遊技状態においても共通の処理ルーチンにより可変入賞球装置を制御する状態制御手段と、検出手段からの検出信号を入力したか否かを判定する入賞判定手段（例えば、遊技制御用マイクロコンピュータ５６０において、ステップＳ３３１〜Ｓ３３８、Ｓ３５１〜Ｓ３５６，Ｓ３６１の処理を実行する部分。特に、カウントスイッチ入力ビット判定値を用いてステップＳ３５５，Ｓ３６１の処理を実行する部分）と、特定遊技状態以外の遊技状態において入賞判定手段が検出信号を入力したことにもとづいて、異常報知の実行を指示するための異常報知コマンドを送信する異常報知コマンド送信手段（例えば、遊技制御用マイクロコンピュータ５６０において、ステップＳ５８５，Ｓ５８７〜Ｓ５８９の処理を実行する部分）とを含み、異常報知コマンド送信手段は、第１特定遊技状態であるときにも第２特定遊技状態であるときにも異常報知コマンドを送信する処理を実行せず、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００において、ステップＳ８００〜Ｓ８０３の処理を実行する部分）と、異常報知コマンド送信手段が送信した異常報知コマンドにもとづいて、演出装置により異常報知を行う異常報知手段（例えば、演出制御用マイクロコンピュータ１００において、ステップＳ９０６〜Ｓ９０９、Ｓ８４５Ａ，Ｓ８４５Ｃの処理を実行する部分）とを含むことを特徴とする。
【手続補正６】
【補正対象書類名】明細書
【補正対象項目名】００１２
【補正方法】変更
【補正の内容】
【００１２】
請求項１記載の発明では、簡易な処理で異常入賞を検出できる。
【手続補正書】
【提出日】平成23年11月25日(2011.11.25)
【手続補正１】
【補正対象書類名】特許請求の範囲
【補正対象項目名】請求項１
【補正方法】変更
【補正の内容】
【請求項１】
車体後部の外表面に設けられたアウタ部材の内側に、車体下面側の空気を導入するエアインテーク開口部に連通した内側面側空間を形成すると共に、車外側空間と、該内側面側空間とを連通させるエアアウトレット開口部を設け、該エアアウトレット開口部の周縁には、車外側に向けて凸設される突起部を上下方向に連設して、前記車体後側の表面に沿って流れる走行風が、該突起部の後方に形成された前記エアアウトレット開口部の車外側に、該内側面側空間内の空気を、車両外方に向けて吸い出すことを特徴とする車両用リアアウトレット構造。
【手続補正２】
【補正対象書類名】特許請求の範囲
【補正対象項目名】請求項８
【補正方法】変更
【補正の内容】
【請求項８】
前記内側面側空間は、前記車体後部のリヤホイールハウジング部材の裏面側と、リヤバンパ部材の裏面側との間に形成されていることを特徴とする請求項１乃至７のうち、何れか一項記載の車両用リアアウトレット構造。
【手続補正３】
【補正対象書類名】明細書
【補正対象項目名】００１２
【補正方法】変更
【補正の内容】
【００１２】
上記目的を達成するために、本発明は、車体後部の外表面に設けられたアウタ部材の内側に、車体下面側の空気を導入するエアインテーク開口部に連通した内側面側空間が形成されている。
【手続補正書】
【提出日】平成24年1月26日(2012.1.26)
【手続補正１】
【補正対象書類名】明細書
【補正対象項目名】００１４
【補正方法】変更
【補正の内容】
【００１４】
請求項１に係る発明によれば、ＩＨコイルをシール体の両側に配設してシール体を誘導加熱することによって、ヒートパイプその他の伝熱手段を用いることなくシールバーにおけるシール面の長手方向全域を均一に加熱でき、またカートリッジヒータでの加熱方式に比べてシール適正温度に達するまでの加熱時間を著しく短縮することができる。また、耐熱材に封入したＩＨコイルを採用することで、湿気や水分、その他の包装現場の作業環境の影響を受けることなく半永久的な寿命を得ることができ、メンテナンス性が向上する。更に、シール体の小型化が可能となり、それによってシール体の加熱体積が減少するので、消費電力を一層低減することができる。
請求項２に係る発明によれば、包装作業に際してシール体の側方に落下するなどしたフィルムカスや物品カス等を除去する等の清掃作業を容易になし得る。
請求項３に係る発明によれば、従来のブラシリング方式に比ベてメンテナンスフリーとすることができる。また、信号伝達系においてヒータ電源等からのノイズに強い制御回路とすることができ、精度の高いヒータ温度制御を実施し得る。
請求項４に係る発明によれば、処理能力を高めることができる。
請求項５に係る発明によれば、複数のシールバーが一体成形される面盤部の凹凸部を噛合するようシール体を回転支持することで、複数のシールバーの各組合わせ毎にシール目合わせする必要がなく、各シールバーのシール面に形成された凹凸部の片当たり等による目つぶれや噛合不良等によるシール不良を未然に防止し得る。
請求項６に係る発明によれば、一対のシール体の側面から一定間隔で加熱体を確実に支持することができる。
【手続補正２】
【補正対象書類名】明細書
【補正対象項目名】００１９
【補正方法】変更
【補正の内容】
【００１９】
各シール体３４は、例えば、炭素鋼や炭素工具鋼、その他の磁性体からなる素材で形成されており、回転軸線方向(フィルム搬送方向と交差する方向)に長手が延在するシール面を有するシールバー３６が周方向に所定角度毎に設けられ、上下で対向する各組のシールバー３６,３６のシール面が噛合することで筒状フィルムＦに横シールが施される(図３参照)。実施例では、回転軸２６,２８回りに６個のシールバー３６が設けられている。また、シールバー３６の長手方向の両側には、該シールバー３６に連なる所定厚みの円板形状の面盤部３８がシールバー３６と一体成形されている。なお、前記各支持部材３２の自由端部には、両シール体３４,３４が噛合した際に上側のシール体３４を下側のシール体３４に向けて押付けるように支持部材３２を支軸３０を支点として回動付勢する圧縮バネ等のバネ部材４０が設けられ、両シール体３４,３４のシールバー３６,３６で筒状フィルムＦを所定圧で挟持してシールし得るよう構成される。
【手続補正３】
【補正対象書類名】明細書
【補正対象項目名】００２５
【補正方法】変更
【補正の内容】
【００２５】
加熱体４８のＩＨコイル５１には、インバータから９.９ｋＨｚの高周波電流を供給し、各ＩＨコイル５１は３３０Ｗの電力を得るように設定され、ＩＨコイル５１から各シール体３４における面盤部３８,３８の盤面に対して発生した磁力線によりシール体３４に生ずる渦電流によってシール体自体を発熱させる。これにより、シール体３４の面盤部３８,３８に一体成形されたシールバー３６は短時間で加熱され、長手方向に形成されたシール面の全域が略均一に加熱される。なお、ＩＨコイル５１で３３０Ｗの電力を得るよう設定された仕様の加熱体４８では、面盤部３８に対して５ミリ前後離間して面するように配置されて、シール体３４を効率的に加熱し得るよう構成されるが、面盤部３８と加熱体４８との離間距離は、ＩＨコイルの仕様に応じて設定される。また、加熱体４８は回転軸２６,２８とは分離して固定配置されるので、従来のカートリッジヒータでの加熱方式に対して、ブラシリング等を介することなく給電を行なうことができ、構成を簡略化し得ると共にメンテナンス性も向上する。
【手続補正４】
【補正対象書類名】明細書
【補正対象項目名】００２８
【補正方法】変更
【補正の内容】
【００２８】
ここで、本実施形態における誘導加熱方式を採用するに至るまでの検証結果において、シール体におけるシールバーと面盤部とを同一素材とした場合であっても、別体の面盤部をシールバーの側面にネジ止め固定して一体とし、実施例と同様のシール体とした場合は、面盤部のみが発熱して飽和状態となり、シールバーは充分に加熱されるまでに至らなかった。すなわち、本実施形態の構成の如くシール体３４は、シールバー３６と面盤部３８とを磁性体によって一体成形した時のみシールバー３６のシール面を良好に加熱できることが確認された。
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
台の一面に砥粒が並べられている砥石の製造方法において、
前記台と、複数の面を備えた前記砥粒と、この砥粒が仮接着される仮台と、この仮台に前記砥粒を仮接着する接着剤とを準備する工程と、
前記仮台の上面に前記接着剤を塗布する工程と、
前記仮台の上面に前記複数の面の内の一面が密着するように、前記砥粒を前記接着剤で仮接着する工程と、
前記砥粒が下方に向くように前記仮台を反転させる工程と、
この仮台を所定の角度に保ちながら前記台に対面させる工程と、
めっき層により前記台に前記砥粒を接着する工程と、
前記砥粒から前記仮台を引き離すことで、台の一面に砥粒が並べられている砥石を得る工程とからなることを特徴とする砥石の製造方法。
【手続補正２】
【補正対象書類名】明細書
【補正対象項目名】００１０
【補正方法】変更
【補正の内容】
【００１０】
請求項１に係る発明は、台の一面に砥粒が並べられている砥石の製造方法において、
台と、複数の面を備えた砥粒と、この砥粒が仮接着される仮台と、この仮台に砥粒を仮接着する接着剤とを準備する工程と、
仮台の上面に接着剤を塗布する工程と、
仮台の上面に複数の面の内の一面が密着するように、砥粒を接着剤で仮接着する工程と、
砥粒が下方に向くように仮台を反転させる工程と、
この仮台を所定の角度に保ちながら台に対面させる工程と、
めっき層により台に砥粒を接着する工程と、
砥粒から仮台を引き離すことで、台の一面に砥粒が並べられている砥石を得る工程とからなることを特徴とする。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
シャッタ開閉手段の駆動により入金口シャッタを開閉し、投入された硬貨を硬貨投入口ガイドにより硬貨ホッパにガイドして収納し計数処理する硬貨処理装置において、
前記シャッタ開閉手段の駆動により入金口シャッタを閉じるときに前記硬貨投入口ガイドを振動させる振動手段を備えることを特徴とする現金処理装置。
【請求項２】
前記振動手段は、
前記シャッタ開閉手段の駆動により回転するハンマ駆動カムと、
前記ハンマ駆動カム近傍に、回転可能に取り付けられた駆動ハンマとを有し、
前記入出金口シャッタを閉じるときの前記ハンマ駆動カムの回転により、前記振動ハンマを硬貨投入口ガイドと接離させることで振動を発生させるようにしたことを特徴とする請求項１記載の現金処理装置。
【請求項３】
前記ハンマ駆動カムは、ワンウェイベアリングにより入出金口シャッタを閉じるときのみ回転するようにしたことを特徴とする請求項２記載の現金処理装置。
【請求項４】
前記ハンマ駆動カムは、羽根車の形状をしたことを特徴とする請求項２記載の現金処理装置。
【請求項５】
前記振動ハンマは、一方端部に支点を備え、他方端部に前記硬貨入金ガイドの下側を叩くハンマ先端部を備え、前記支点と前記ハンマ先端部間に前記ハンマ駆動カムと前記硬貨入金ガイド方向に付勢する付勢手段を備えたことを特徴とする請求項２記載の現金処理装置。
【請求項６】
前記振動手段は、
前記入金口シャッタの裏側に設けた波型レールと、
前記硬貨投入口ガイドに前記波型レールと当接する波型受けとを有し、
前記入金口シャッタを開閉するときの前記波型レールと前記波型受けの接離により前記硬貨投入口ガイドを振動させるようにしたことを特徴とする請求項１記載の現金処理装置。
【手続補正書】
【提出日】平成24年3月2日(2012.3.2)
【手続補正１】
【補正対象書類名】明細書
【補正対象項目名】００１６
【補正方法】変更
【補正の内容】
【００１６】
請求項１１に記載の発明の画像処理方法は、
撮像された被写体存在画像の周縁部分の非平坦度を演算する処理と、演算された前記被写体存在画像の周縁部分の非平坦度が所定値以下であるか否かを判定する処理と、非平坦度が所定値以下であると判定された場合に、前記被写体存在画像の周縁部分から前記被写体存在画像中の被写体が含まれる被写体領域の抽出用の抽出用背景画像を生成する処理と、前記抽出用背景画像と前記被写体存在画像の対応する各画素の差分情報に基づいて、前記被写体存在画像から前記被写体領域を抽出する処理と、を実行させることを特徴としている。
【手続補正２】
【補正対象書類名】明細書
【補正対象項目名】００１７
【補正方法】変更
【補正の内容】
【００１７】
請求項１２に記載の発明のプログラムは、
コンピュータを、撮像された被写体存在画像の周縁部分の非平坦度を演算する非平坦度演算手段、前記非平坦度演算手段により演算された前記被写体存在画像の周縁部分の非平坦度が所定値以下であるか否かを判定する判定手段、前記判定手段により非平坦度が所定値以下であると判定された場合に、前記被写体存在画像の周縁部分から前記被写体存在画像中の被写体が含まれる被写体領域の抽出用の抽出用背景画像を生成する背景生成手段、前記抽出用背景画像と前記被写体存在画像の対応する各画素の差分情報に基づいて、前記被写体存在画像から前記被写体領域を抽出する被写体抽出手段、として機能させることを特徴としている。
【手続補正３】
【補正対象書類名】特許請求の範囲
【補正対象項目名】請求項１１
【補正方法】変更
【補正の内容】
【請求項１１】
撮像された被写体存在画像の周縁部分の非平坦度を演算する処理と、
演算された前記被写体存在画像の周縁部分の非平坦度が所定値以下であるか否かを判定する処理と、
非平坦度が所定値以下であると判定された場合に、前記被写体存在画像の周縁部分から前記被写体存在画像中の被写体が含まれる被写体領域の抽出用の抽出用背景画像を生成する処理と、
前記抽出用背景画像と前記被写体存在画像の対応する各画素の差分情報に基づいて、前記被写体存在画像から前記被写体領域を抽出する処理と、
を実行させることを特徴とする画像処理方法。
【手続補正４】
【補正対象書類名】特許請求の範囲
【補正対象項目名】請求項１２
【補正方法】変更
【補正の内容】
【請求項１２】
コンピュータを、
撮像された被写体存在画像の周縁部分の非平坦度を演算する非平坦度演算手段、
前記非平坦度演算手段により演算された前記被写体存在画像の周縁部分の非平坦度が所定値以下であるか否かを判定する判定手段、
前記判定手段により非平坦度が所定値以下であると判定された場合に、前記被写体存在画像の周縁部分から前記被写体存在画像中の被写体が含まれる被写体領域の抽出用の抽出用背景画像を生成する背景生成手段、
前記抽出用背景画像と前記被写体存在画像の対応する各画素の差分情報に基づいて、前記被写体存在画像から前記被写体領域を抽出する被写体抽出手段、
として機能させることを特徴とするプログラム。
【手続補正書】
【提出日】平成24年3月2日(2012.3.2)
【手続補正１】
【補正対象書類名】明細書
【補正対象項目名】０００８
【補正方法】変更
【補正の内容】
【０００８】
請求項１に記載の発明は、
第１の抵抗膜が形成された第１の基板と第２の抵抗膜が形成された第２の基板とが前記第１と第２の抵抗膜を対向させて配置され、前記第１の抵抗膜と前記第２の抵抗膜との接触位置を検出するタッチパネルであって、
前記第１の抵抗膜によって覆われるように且つ第１の高さに突出するように前記第１の基板に形成された突起部と、
前記第２の抵抗膜上に第２の高さに突出するようにパターン形成された絶縁層と、を備え、
前記絶縁層は、予め定めた第１の方向に第１の間隔で配列するともに前記第１の方向に対して直交した第２の方向に前記第１の間隔に等しい第２の間隔で配列する第１の格子点としてパターン形成され、
前記突起部は、前記第１の方向に前記第１の間隔よりも狭い第３の間隔で配列するとともに前記第２の方向に前記第２の間隔よりも狭く且つ前記第３の間隔に等しい第４の間隔で配列する第２の格子点として形成され、
前記第１の間隔が前記第３の間隔の整数倍に設定されるとともに前記第２の間隔が前記第４の間隔の整数倍に設定されることにより、前記絶縁層が前記突起部に重なるようにパターン形成されていることを特徴とする。
好ましくは、前記第１の間隔と前記第２の間隔とが等しい値に設定されているとともに、前記第３の間隔と前記第４の間隔とが等しい値に設定されている。
好ましくは、前記第２の高さよりも前記第１の高さの方が高く設定されている。
請求項４に記載の発明は、第１の抵抗膜が形成された第１の基板と第２の抵抗膜が形成された第２の基板とが前記第１と第２の抵抗膜を対向させて配置され、前記第１の抵抗膜と前記第２の抵抗膜との接触位置を検出するタッチパネルであって、
前記第１の抵抗膜によって覆われるように且つ前記第１の基板側から前記第２の基板側に向かって第１の高さに突出するように前記第１の基板に複数の突起部が設けられているととともに前記複数の突起部のうちの所定の突起部に接触するように且つ前記第２の基板側から前記第１の基板側に向かって第２の高さに突出するように前記第２の抵抗膜上に絶縁層がパターン形成されることによって、前記複数の突起部のうちの他の突起部と前記第２の抵抗膜との間に間隙が設けられ、
前記他の突起部が前記接触位置を検出するための接点として機能することを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】特許請求の範囲
【補正対象項目名】全文
【補正方法】変更
【補正の内容】
【特許請求の範囲】
【請求項１】
第１の抵抗膜が形成された第１の基板と第２の抵抗膜が形成された第２の基板とが前記第１と第２の抵抗膜を対向させて配置され、前記第１の抵抗膜と前記第２の抵抗膜との接触位置を検出するタッチパネルであって、
前記第１の抵抗膜によって覆われるように且つ第１の高さに突出するように前記第１の基板に形成された突起部と、
前記第２の抵抗膜上に第２の高さに突出するようにパターン形成された絶縁層と、を備え、
前記絶縁層は、予め定めた第１の方向に第１の間隔で配列するともに前記第１の方向に対して直交した第２の方向に前記第１の間隔に等しい第２の間隔で配列する第１の格子点としてパターン形成され、
前記突起部は、前記第１の方向に前記第１の間隔よりも狭い第３の間隔で配列するとともに前記第２の方向に前記第２の間隔よりも狭く且つ前記第３の間隔に等しい第４の間隔で配列する第２の格子点として形成され、
前記第１の間隔が前記第３の間隔の整数倍に設定されるとともに前記第２の間隔が前記第４の間隔の整数倍に設定されることにより、前記絶縁層が前記突起部に重なるようにパターン形成されていることを特徴とするタッチパネル。
【請求項２】
前記第１の間隔と前記第２の間隔とが等しい値に設定されているとともに、前記第３の間隔と前記第４の間隔とが等しい値に設定されていることを特徴とする請求項１に記載のタッチパネル。
【請求項３】
前記第２の高さよりも前記第１の高さの方が高く設定されていることを特徴とする請求項１または２に記載のタッチパネル。
【請求項４】
第１の抵抗膜が形成された第１の基板と第２の抵抗膜が形成された第２の基板とが前記第１と第２の抵抗膜を対向させて配置され、前記第１の抵抗膜と前記第２の抵抗膜との接触位置を検出するタッチパネルであって、
前記第１の抵抗膜によって覆われるように且つ前記第１の基板側から前記第２の基板側に向かって第１の高さに突出するように前記第１の基板に複数の突起部が設けられているととともに前記複数の突起部のうちの所定の突起部に接触するように且つ前記第２の基板側から前記第１の基板側に向かって第２の高さに突出するように前記第２の抵抗膜上に絶縁層がパターン形成されることによって、前記複数の突起部のうちの他の突起部と前記第２の抵抗膜との間に間隙が設けられ、
前記他の突起部が前記接触位置を検出するための接点として機能することを特徴とするタッチパネル。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
プラスチック系列の材質からなり、０.０３〜０.２mmの厚さを有する導光板と、
前記導光板に設けられ、前記導光板内に伝播する光を前記導光板の外部に出射するための少なくとも一つの光抽出パターンと、
少なくとも一つのスイッチを備えるスイッチ基板と、
前記導光板の内部に光を結合させるための少なくとも一つの光源と、
を含むことを特徴とするキーパッドアセンブリ。
【請求項２】
少なくとも一つのキーボタンと、その上面に前記キーボタンが形成されたフィルムを有するキーシートをさらに含むことを特徴とする請求項１に記載のキーパッドアセンブリ。
【請求項３】
前記フィルムと前記導光板との間に空気層が維持されることを特徴とする請求項２に記載のキーパッドアセンブリ。
【請求項４】
前記導光板の上面にフィルムが配置されることを特徴とする請求項３に記載のキーパッドアセンブリ。
【請求項５】
前記導光板と前記スイッチの間に位置する突起部をさらに含むことを特徴とする請求項２に記載のキーパッドアセンブリ。
【請求項６】
前記突起部は、前記キーボタン、反射パターン及びスイッチと整列されることを特徴とする請求項５に記載のキーパッドアセンブリ。
【請求項７】
前記導光板は、ポリカーボネートからなることを特徴とする請求項１に記載のキーパッドアセンブリ。
【請求項８】
前記導光板は、ＰＭＭＡからなることを特徴とする請求項１に記載のキーパッドアセンブリ。
【請求項９】
ポリウレタンからなり、０.０３〜０.２mmの厚さを有する導光板と、
前記導光板に設けられ、前記導光板内に伝播する光を前記導光板の外部に出射するための少なくとも一つの光抽出パターンと、
少なくとも一つのスイッチを備えるスイッチ基板と、
前記導光板の内部に光を結合させるための少なくとも一つの光源と、
を含むことを特徴とするキーパッドアセンブリ。
【請求項１０】
少なくとも一つのキーボタンと、その上面に前記キーボタンが形成されたフィルムを有するキーシートをさらに含むことを特徴とする請求項９に記載のキーパッドアセンブリ。
【請求項１１】
前記フィルムと前記導光板との間に空気層が維持されることを特徴とする請求項１０に記載のキーパッドアセンブリ。
【請求項１２】
前記導光板の上面にフィルムが配置されることを特徴とする請求項１０に記載のキーパッドアセンブリ。
【請求項１３】
前記導光板と前記スイッチの間に位置する突起部をさらに含むことを特徴とする請求項９に記載のキーパッドアセンブリ。
【請求項１４】
前記突起部は、前記キーボタン、反射パターン及びスイッチと整列されることを特徴とする請求項１３に記載のキーパッドアセンブリ。